(57)【特許請求の範囲】
【請求項１】
抱持体（１）の一端に抱着体（２）の一端をピン（３）により軸支し、前記抱着体（２）の他端に設けたバカ穴とした通し穴（５）からボルト（６）を挿入し、前記抱持体（１）の他端に設けたバカ穴とした通し穴（８）に袋ナット（４）を通して、その袋ナット（４）の下端に形成したフランジ（４ａ）が前記通し穴（８）の縁に引っ掛かるようにして、前記抱持体（１）の他端の内側に取り付けた袋ナット（４）に前記ボルト（６）を締め込むことによって鋼管（７）を抱持するようにしたことを特徴とする鋼管緊結金具。
【発明の詳細な説明】
【０００１】
【発明の属する技術分野】
この発明は、建築工事現場、道路工事現場等で鋼管足場、バリケード等を組み立てるのに用いられる鋼管緊結金具に関するものである。
【０００２】
【従来の技術】
従来、この種の鋼管緊結金具には、例えば図５、６に示したように、側面形状を略Ｌ字形とした抱持体１の一端に、側面形状を略円弧形とした抱着体２の一端をピン３により軸支し、前記抱持体１の他端に軸支されたボルト１０を、前記抱着体２の他端に形成された切欠き部１１に挿入して、そのボルト１０のねじ部１０ａにナット１２を締め込むことによって鋼管７を抱持するように構成したものが存在する。
【０００３】
【発明が解決しようとする課題】
しかしながら、上記従来の鋼管緊結金具では、前記ナット１２の締め込みが緩いと、ボルト１０が切欠き部１１から抜けて外れてしまい、この緊結金具から鋼管７が脱落することがあるという課題を有していた。
【０００４】
また、上記従来の鋼管緊結金具では、前記鋼管７の脱落を防止するためにナット１２の締め込みをきつくする傾向があり、そのためボルト１０が破損しやすいという課題を有していた。しかも、前記ボルト１０は、抱持体１に軸支されており、簡単に取り付けたり外したりできないので、ボルト１０が破損してもボルト１０のみを新しいものに取り換えることができず、ボルト１０が破損すれば鋼管緊結金具そのものが使えなくなるという課題を有していた。
【０００５】
さらに、上記従来の鋼管緊結金具では、前記ナット１２を締め込むと、ボルト１０のねじ部１０ａが突出し、建築工事現場、道路工事現場等においては作業者や通行人の衣服や身体等に引っ掛かり易く、衣服を破ったり身体を傷つけたりするという課題を有していた。
【０００６】
そこで、この発明は、上記従来の課題を解決するためになされたものであり、緊結金具から鋼管が脱落しにくく、ボルトが破損してもボルトを取り外すことにより、このボルトのみを新しいものに簡単に取り換えることができ、長期間にわたって使用することができるものとし、さらに前記ボルトのネジ部が突出せず、作業者や通行人の衣服や身体等に引っ掛かることなく、衣服を破ったり身体を傷つけたりすることのない鋼管緊結金具を提供することを目的としている。
【０００７】
【課題を解決するための手段】
そのため、この発明の鋼管緊結金具は、抱持体１の一端に抱着体２の一端をピン３により軸支し、前記抱着体２の他端に設けたバカ穴とした通し穴５からボルト６を挿入し、前記抱持体１の他端に設けたバカ穴とした通し穴８に袋ナット４を通して、その袋ナット４の下端に形成したフランジ４ａが前記通し穴８の縁に引っ掛かるようにして、前記抱持体１の他端の内側に取り付けた袋ナット４に前記ボルト６を締め込むことによって鋼管７を抱持するようにしている。
【０００９】
【発明の実施の形態】
以下、この発明の鋼管緊結金具の実施形態を、図面に基づいて詳細に説明する。
【００１０】
この発明の鋼管緊結金具は、図１、２に示したように、側面形状を略Ｌ字形とした抱持体１の一端に、側面形状を略円弧形とした抱着体２の一端をピン３により軸支している。前記抱持体１の他端の内側には袋ナット４を取り付け、前記抱着体２の他端には通し穴５を設けている。そして、前記通し穴５からボルト６を挿入して、このボルト６を袋ナット４に締め込むことにより、前記抱持体１と抱着体２によって鋼管７を抱持するようにしている。また、前記通し穴５からボルト６を挿入する場合に、ボルト頭６ａの下にワッシャー（図示せず）を敷いてもいよい。
【００１１】
このような構成により、この発明の鋼管緊結金具は、前記ボルト６を袋ナット４に締め込んだ場合にも、ボルト６のねじ部６ｂがこの緊結金具の外側に突出せず、また袋ナット４も抱持体１の他端の内側に取り付けられているため、この緊結金具の外側に突出することはない。なお、前記ボルト頭６ａは、角が落とされており、また比較的薄いので、この緊結金具の外側に少ししか突出せず、作業者や通行人の衣服や身体等に引っ掛かることなく、衣服を破ったり身体を傷つけたりすることはない。また、前記ボルト６が袋ナット４にねじ込まれている限り、このボルト６は通し穴５から外れることなく、さらにこの緊結金具から鋼管１５が脱落することもない。
【００１２】
前記袋ナット４は、下端にフランジ４ａを形成し、前記抱持体１の他端に設けたバカ穴とした通し穴８に通して、フランジ４ａがその通し穴８の縁に引っ掛かるようにして、前記抱持体１の他端の内側に取り付けたものとしている。
【００１３】
前記通し穴５は、バカ穴としてボルト６を袋ナット４に締め込んだときの遊びを持たせたものとしている。
【００１４】
以上のように構成されたこの発明の鋼管緊結金具は、次のようにして使用される。
【００１５】
先ず、建築工事現場等で鋼管足場を組み立てるには、例えば図３に示したように、鋼管緊結金具の抱持体１の底部１ａを溶接したり、リベット止めしたりしてこの緊結金具自体を交差する鋼管７の一方に固着し、ボルト６を袋ナット４に締め込むことにより、抱持体１と抱着体２によって前記交差する鋼管７の他方を抱持するようにし、交差する鋼管７どうしを緊結すればよい。また、図示していないが、この発明の鋼管緊結金具を二個一組とし、それぞれの抱持体１の底部１ａを互いに重ね合わせて、溶接したり、リベット止めしたりして両者を固着して、それぞれの抱持体１と抱着体２によって交差する鋼管７のそれぞれを抱持するようにし、交差する鋼管７どうしを緊結することもできる。
【００１６】
さらに、道路工事現場等でバリケードを組み立てるには、例えば図４に示したように、適宜間隔をあけて置かれたそれぞれのバリケード９の縦枠体９ａの上端と横桟９ｂの中央部に、鋼管緊結金具の抱持体１の底部１ａを溶接したり、リベット止めしたりしてこの緊結金具自体をバリケード９に固着し、ボルト６を袋ナット４に締め込むことにより、抱持体１と抱着体２とによって、これらバリケード９の間に掛け渡す鋼管７をそれぞれ抱持するようにし、バリケード９と鋼管７を緊結すればよい。
【００１７】
【発明の効果】
この発明の鋼管緊結金具は、以上に述べたように構成されているので、緊結金具から鋼管が脱落しにくく、ボルトが破損してもボルトを取り外すことにより、このボルトのみを新しいものに簡単に取り換えることができ、長期間にわたって使用することができるものとなり、さらに前記ボルトのネジ部が突出せず、作業者や通行人の衣服や身体等に引っ掛かることなく、衣服を破ったり身体を傷つけたりすることのないものとなった。
【図面の簡単な説明】
【図１】この発明の鋼管緊結金具の斜視図である。
【図２】この発明の鋼管緊結金具に用いる袋ナットの斜視図である。
【図３】この発明の鋼管緊結金具の使用状態を示す説明図である。
【図４】この発明の鋼管緊結金具の使用状態を示す説明図である。
【図５】従来の鋼管緊結金具の斜視図である。
【図６】従来の鋼管緊結金具の側面図である。
【符号の説明】
１  抱持体
２  抱着体
３  ピン
４  袋ナット
５  通し穴
６  ボルト
７  鋼管
【図１】
0003870329.tif 000002
【図２】
0003870329.tif 000003
【図３】
0003870329.tif 000004
【図４】
0003870329.tif 000005
【図５】
0003870329.tif 000006
【図６】
0003870329.tif 000007